(57)【要約】  手動操作される電源入キーを有し且つ電源オン時にソフトウェアプログラムを自動的に実行する携帯端末の電源を入れる方法において、ａ）最初に、上記キーを、上記端末の電源がオフにされるアイドル位置から、上記端末の電源がオンにされるべきアクティブ位置へと移動させるステップ（３２）と、ｂ）ステップａ）の始めから所定の第１の時間間隔（Δ１）が経過する前に、上記端末上でソフトウェアプログラムを実行し始めるステップ（３６）であって、上記第１の時間間隔は、キーが誤って移動されなかったことをチェックするために十分な長さである、ステップ（３６）と、ｃ）上記第１の時間間隔が経過したときに、上記キーが依然として上記アクティブ位置にある場合には、ソフトウェアプログラムを実行し続け（４２）、そうでなければ、上記端末の電源を切る（４０）ステップと、を含む方法である。
2008541317.tif 000002
【特許請求の範囲】
【請求項１】
手動操作される電源入キーを有し且つ電源オン時にソフトウェアプログラムを自動的に実行する携帯端末の電源を入れる方法において、
ａ）最初に、前記キーを、前記端末の電源がオフにされるアイドル位置から、前記端末の電源がオンにされるべきアクティブ位置へと移動させるステップと、
ｂ）ステップａ）の始めから所定の第１の時間間隔が経過する前に、前記端末上でソフトウェアプログラムを実行し始めるステップであって、前記第１の時間間隔は、キーが誤って移動されなかったことをチェックするために十分な長さである、ステップと、
ｃ）前記第１の時間間隔が経過したときに、前記キーが依然として前記アクティブ位置にある場合には、ソフトウェアプログラムを実行し続け、そうでなければ、前記端末の電源を切るステップと、
を含むことを特徴とする方法。
【請求項２】
前記ステップｂ）は、第２の時間間隔が経過した後にのみトリガされ、前記第２の時間間隔は、前記第１の時間間隔よりも短く、前記キーが移動されるときに起こる跳ね返りを終わらせるために用いられることを特徴とする請求項１に記載の方法。
【請求項３】
前記第２の時間間隔が経過したときに始まり前記第１の時間間隔が経過したときに終わる第３の時間間隔の間、前記キーが前記第３の時間間隔に亘って前記アクティブ位置を保持し続けることをチェックするステップを含むことを特徴とする請求項２に記載の方法。
【請求項４】
前記第１の時間間隔は、５００ｍｓ（ミリ秒）よりも長く３ｓ（秒）よりも短いことを特徴とする請求項１乃至３のいずれか一項に記載の方法。
【請求項５】
前記第２の時間間隔は、５ｍｓ（ミリ秒）よりも長く１００ｍｓ（ミリ秒）よりも短いことを特徴とする請求項２に記載の方法。
【請求項６】
コード命令が電子計算器によって実行されるときに請求項１乃至５のいずれか一項に記載の方法を実行するための前記コード命令を有することを特徴とするメモリ。
【請求項７】
電源オン時にソフトウェアプログラムを自動的に実行する端末であって、
手動操作される電源入キーと、
請求項１乃至５のいずれか一項に記載の方法を実行するように構成された計算器と、
を備えることを特徴とする端末。
【発明の詳細な説明】
【技術分野】
【０００１】
本発明は、端末の電源を入れる方法、メモリ及びその端末に関する。
【背景技術】
【０００２】
一般に、携帯端末は、端末をオンに切り換えるための手動操作される電源入キーを有する。
【０００３】
公知の方法の始めにおいて、キーは、端末の電源がオフされるアイドル位置から、端末の電源がオンされるべきアクティブ位置へと移動させられる。例えば、キーは押し下げられる。
【０００４】
所定の時間間隔の終わりにおいて、キーが依然としてアクティブ位置にある場合、端末はソフトウェアプログラムを自動的に実行し始める。
【０００５】
不注意によるキーとの接触によって携帯端末の電源入が確実に引き起こされるのを回避するため、所定の時間間隔は概して１秒よりも長い。例えば、不注意によるキーとの接触は、多くの場合、携帯端末を持ち運んでいるときに起こる。
【０００６】
例えば、キーが押し下げられるときに起こる跳ね返り（バウンス）を終わらせることができるようにするために、キーが押し下げられた後に取られるべき動作を遅延させることが米国特許第ＵＳ３６６０８２６号公報（特許文献１）から知られている。
【０００７】
一方では、そのような望ましくない電源入は、エネルギを消費するとともに携帯端末のバッテリ自律性を低下させるため、そのような電源入を可能な限り制限することが重要である。
【０００８】
他方では、所定の時間間隔が経過するのを待つことは、端末の電源を入れる方法をユーザにとって非常に長いものにする。確かに、ユーザは、所定の時間間隔を待たなければならず、その後、ソフトウェアプログラムを初期化するために必要な時間だけ待たなければならない。ユーザは、ソフトウェアプログラムの初期化が終了したときにのみ自分の携帯端末を完全に使用することができる。
【特許文献１】米国特許第ＵＳ３６６０８２６号公報
【発明の開示】
【発明が解決しようとする課題】
【０００９】
従って、本発明の目的は、携帯端末の電源を入れる方法であって、公知の方法よりも高速な方法を提供することである。
【課題を解決するための手段】
【００１０】
上記目的及び他の目的のため、本発明によれば、
手動操作される電源入キーを有し且つ電源オン時にソフトウェアプログラムを自動的に実行する携帯端末の電源を入れる方法において、
ａ）最初に、上記キーを、上記端末の電源がオフにされるアイドル位置から、上記端末の電源がオンにされるべきアクティブ位置へと移動させるステップと、
ｂ）ステップａ）の始めから所定の第１の時間間隔が経過する前に、上記端末上でソフトウェアプログラムを実行し始めるステップであって、上記第１の時間間隔は、キーが誤って移動されなかったことをチェックするために十分な長さである、ステップと、
ｃ）上記第１の時間間隔が経過したときに、上記キーが依然として上記アクティブ位置にある場合には、ソフトウェアプログラムを実行し続け、そうでなければ、上記端末の電源を切るステップと、
を含む方法が提供される。
【００１１】
上記方法において、ソフトウェアプログラムの実行は、所定の第１の時間間隔が終了する前に開始する。従って、ソフトウェアプログラムの初期化は、公知の方法における場合よりも早く開始する。その結果、ユーザは、公知の方法を使用する場合よりも早く自分の端末を完全に使用することができる。また、第１の時間間隔の最後にキーが最早そのアクティブ位置にない場合には、端末の電源が自動的にオフされるため、望ましくない電源入が依然として回避される。
【００１２】
携帯端末の電源を入れる方法の実施の形態は、以下の特徴のうちの一つ又は複数を備えているものとするとよい。
【００１３】
−上記ステップｂ）は、第２の時間間隔が経過した後にのみトリガされ、上記第２の時間間隔は、上記第１の時間間隔よりも短く、上記キーが移動されるときに起こる跳ね返りを終わらせるために用いられ、
−上記第２の時間間隔が経過したときに始まり上記第１の時間間隔が経過したときに終わる第３の時間間隔の間、上記キーが上記第３の時間間隔に亘って上記アクティブ位置を保持し続けることをチェックするステップを上記方法が含み、
−上記第１の時間間隔は、５００ｍｓ（ミリ秒）よりも長く３ｓ（秒）よりも短く、
−上記第２の時間間隔は、５ｍｓ（ミリ秒）よりも長く１００ｍｓ（ミリ秒）よりも短い。
【００１４】
上記方法の実施の形態は、以下の利点を与える。
−跳ね返りを終わらせるために第２の時間間隔を使用すると、不注意による端末の電源入の数が制限され、そのため、端末のバッテリ自律性が向上する。
−第３の時間間隔に亘ってキーがアクティブ位置を連続的に保持することをチェックすると、一連の短い移動がキーに適用されるときの端末の電源入が回避される。
【００１５】
また、本発明は、上記方法を実施するためのメモリ、及び、上記方法を実施するように設計された端末に関する。
【００１６】
本発明のこれらの態様及び他の態様は、以下の説明、図面、請求項から明確に理解することができる。
【発明を実施するための最良の形態】
【００１７】
図１は、携帯端末２を示す。例えば、携帯端末２は、携帯電話である。図１には、簡略化のため、本発明を理解するために必要な内容だけが示されている。
【００１８】
端末２は、端末２の電源がオンにされているときに情報をユーザに対して与えるための液晶ディスプレイ（ＬＣＤ）４と、端末２の電源がオンにされているときに光るＬＥＤ（発光ダイオード）インジケータ６と、を有する。
【００１９】
また、端末２は、端末２の電源を入れるためにユーザによる手動操作が可能なキー１０も有する。例えば、端末２の電源を入れるためには、ユーザによってキー１０が押し下げられなければならない。
【００２０】
キー１０は、キー１０がアイドル位置のときに開き、且つ、キー１０がアクティブ位置のとき、即ち、押し下げられるときに閉じられる電気スイッチ１２に対して機械的に連結されている。
【００２１】
スイッチ１２は、電子計算器１４に対して接続されている。スイッチ１２が閉じられると、電流がスイッチ１２を完全に通過して端末２の電源をオンにすることができる。電流は、例えばバッテリ１５から引き出される。
【００２２】
計算器１４は、端末２の電源を入れるために、図２の方法を実行するように構成されている。
【００２３】
端末２は、電源入キー・デバウンス（ｄｅｂｏｕｎｃｅ）装置１６を有する。装置１６は、端末２の完全電源供給がトリガされる前に時間間隔Δ２の間に亘ってキー１０が連続的に押し下げられていることをチェックする。装置１６は、例えばキー１０が押し下げられていない場合でも給電される唯一の構成要素である。
【００２４】
計算器１４は、端末２の電源がオンにされているときに、例えばオペレーレィングシステム１８のようなソフトウェアプログラムを自動的に実行するように構成されている。オペレーティングシステム１８は、計算器１４に連結されたメモリ２０内に記録される。
【００２５】
オペレーティングシステム１８は、掛かってきた電話を受信するために又は他の電話に掛けるために必要とされる機能等の端末２のハードウェア機能の総てを管理するように設計されている。
【００２６】
計算器１４は、メモリ２０のようなメモリ内に記録された命令を実行することができるプログラマブル計算器を伴って実現される。
【００２７】
また、メモリ２０は、例えば装置１６にも連結されている。
【００２８】
また、メモリ２０は、所定の時間間隔Δ１及び時間間隔Δ２も記憶している。時間間隔Δ１の値は、キー１０が誤って押し下げられていなかったことをチェックするために十分に長く選択される。例えば、時間間隔Δ１は、５００ｍｓ（ミリ秒）よりも長く３ｓ（秒）よりも短い。ここでは、時間間隔Δ１は、１ｓ（秒）に等しい。
【００２９】
時間間隔Δ２は、キー１０が押し下げられるときに起こるスイッチ１２の跳ね返りを終わらせるために十分に長く選択される。例えば、時間間隔Δ２は、５ｍｓ（ミリ秒）よりも長く１００ｍｓ（ミリ秒）よりも短い。ここでは、時間間隔Δ２は、１４ｍｓ（ミリ秒）に等しい。
【００３０】
ここで、図２を参照して、端末２の動作について説明する。
【００３１】
最初に、ステップ３０では、端末２の電源がオフにされており、装置１６だけが電源オンにされている。
【００３２】
その後、ステップ３２において、キー１０が押し下げられる。スイッチ１２が閉じ、装置１６がタイマを始動させる。キー１０が押し下げられると、これにより、キー１０がそのアクティブ位置となる。
【００３３】
ステップ３３において、装置１６は、時間間隔Δ２に亘ってスイッチ１２が連続的に閉じられたままであるのか又は開かれたままであるのかをチェックする。時間間隔Δ２の終了前にスイッチ１２が閉状態から開状態へ切り換わる場合又はその逆の場合には、装置１６は、タイマをリセットし、新たな時間間隔Δ２が始めからカウントされる。
【００３４】
ステップ３４において、時間間隔Δ２が経過したとき、スイッチ１２が開いている場合には、これはキー１０が誤って押し下げられたことを意味しており、そのため、方法がステップ３０へ戻る。
【００３５】
そうではなく、時間間隔Δ２の最後にスイッチ１２が閉じられている場合には、端末２の電源を入れることが開始される。
【００３６】
その後、ステップ３６において、計算器１４は、オペレーティングシステム１８のようなソフトウェアプログラムを実行し始める。ステップ３６の間、端末２の電源がオンにされていることについての情報は、何等ユーザに対しては与えられない。例えば、ディスプレイ４及びインジケータ６は、オフに切り換えられている。
【００３７】
ステップ３６と並行して、ステップ３８では、時間間隔Δ２の最後から時間間隔Δ１の最後までキー１０が連続的に押し下げられていることを計算器１４がチェックする。例えば、ステップ３６の始めに新たなタイマが始動され、時間間隔Δ２の最後からの経過時間が測定される。この新たなタイマは、時間間隔Δ１が終了する時期を決定するために使用される。
【００３８】
キー１０が連続的に押し下げられていない場合には、計算器１４が直ちにステップ４０へ進み、このステップの間に、計算器１４は、ソフトウェアプログラムの実行を停止して端末２の電源をオフにする。
【００３９】
ステップ４０の後、方法は、ステップ３０に戻る。
【００４０】
キー１０が時間間隔Δ２の最後から時間間隔Δ１の最後まで連続的に押し下げられていた場合には、時間間隔Δ１が経過すると、ステップ４２において、計算器１４は、ステップ３６の間に開始されたソフトウェアプログラムを実行し続け、ステップ４４において、端末２の電源がオンにされていることについての情報をユーザに対して与える。例えば、ステップ４４において、ディスプレイ４がオンに切り換えられるとともに、インジケータ６が光る。
【００４１】
時間間隔Δ２の間、端末２は給電されない。その結果、キー１０の非常に短い押し下げ又は跳ね返りは、端末２の電源入を引き起こさない。
【００４２】
時間間隔Δ２の最後に、端末２の電源がオンにされ、ソフトウェアプログラムが実行を開始する。従って、時間間隔Δ１の最後には、ソフトウェアプログラムが既に初期化されており、ユーザは、端末２を完全に使用し始める前に待つ必要がない。
【００４３】
多くの更なる実施の形態が想定し得る。例えば、他の実施の形態において、ステップ３８は、キー１０が依然として押し下げられていることを時間間隔Δ１の最後にチェックすることのみからなる。この実施の形態では、時間間隔Δ２の最後から時間間隔Δ１の最後までキー１０が連続的に押し下げられていることがチェックされない。
【００４４】
同様に、他の実施の形態において、時間間隔Δ２は、最初にスイッチ１２が閉じられてしまってリセットされ得ないときからのみカウントされる。この実施の形態において、時間間隔Δ２は、スイッチの跳ね返りを終わらせることができるようにするために、十分に長く選択される。
【００４５】
装置１６は、時間間隔Δ２の最後から時間間隔Δ１の最後までキー１０が連続的に押し下げられていない場合に、時間間隔Δ１、Δ２をカウントしてプロセッサ１４をオフに切り換えるように構成されていることが好ましい。
【００４６】
単一の装置を形成するために、装置１６とスイッチ１２とを組み合わせることができる。
【図面の簡単な説明】
【００４７】
【図１】携帯端末の構造の概略図である。
【図２】図１の携帯端末の電源を入れる方法のフローチャートである。
【図１】
2008541317.tif 000003
【図２】
2008541317.tif 000004
【国際調査報告】
2008541317.tif 000005
2008541317.tif 000006